(57)【要約】【課題】不適切なプリンタ装置が選択されたり、その結果不適切に印刷されることのない印刷システムおよびその印刷方法を提供する。【解決手段】プリンタ３、５と情報処理装置２とが通信回線網４に接続され、プリンタ３、５は、ネットアドレス情報及び機種情報を含むプリンタ設定情報を記憶すると共にＩＣカード９に書込及び読出が可能で、ＩＣカード９と通信接続して記憶されているプリンタ設定情報をＩＣカード９に書込め、情報処理装置２は、プリンタ設定情報を記憶すると共にＩＣカード９に書込及び読出が可能であり、プリンタ機種情報がプリンタ３、５の機種に一致するか否かを判断し、一致する場合に、記憶されていたネットアドレス情報のプリンタ３、５を印刷出力先として設定し、プリンタ機種情報に対応するプリンタドライバを設定する。【選択図】図１
2008059137.tif 000002
【特許請求の範囲】
【請求項１】
通信回線網に、少なくとも一つのプリンタ装置、及び、少なくとも一つの情報処理装置が接続される印刷システムであって、
前記プリンタ装置には、少なくとも前記プリンタ装置のネットワークアドレス情報、及び、プリンタ機種情報を、プリンタ装置設定情報として記憶するプリンタ側記憶手段と、
可搬型情報記憶手段と直接に通信接続して前記プリンタ装置設定情報を前記可搬型情報記憶手段に書込及び読出が可能であるプリンタ側インターフェース手段と、
プリンタ側記憶手段に記録されている前記プリンタ装置設定情報を読み出して前記プリンタ側インターフェース手段を介して前記可搬型情報記憶手段に書込むプリンタ側制御手段とを備え、
前記情報処理装置には、前記プリンタ装置の機種に対応するプリンタドライバが予めインストールされると共に、少なくとも前記プリンタ装置のネットワークアドレス情報、及び、プリンタ機種情報を、プリンタ装置設定情報として記憶する情報処理装置側記憶手段と、
可搬型情報記憶手段と直接に通信接続して前記プリンタ装置設定情報を前記可搬型情報記憶手段に書込及び読出が可能である情報処理装置側インターフェース手段と、
前記読み出された前記プリンタ装置設定情報を前記情報処理装置側記憶手段に書込むと共に、前記プリンタ機種情報が予めプリンタドライバがインストールされたプリンタ装置の機種に一致するか否かを判断し、一致する場合に、前記ネットワークアドレス情報のプリンタ装置を印刷出力先として設定し、前記プリンタ機種情報から対応するプリンタドライバを設定する情報処理装置側制御手段とを備える
ことを特徴とする印刷システム。
【請求項２】
前記プリンタ装置は、更に現在時刻情報を出力する現在時刻出力手段を備え、
前記プリンタ側制御手段により、前記プリンタ装置設定情報が書き込まれる時点の前記現在時刻情報を書込時刻情報として、前記プリンタ装置設定情報に更に加えてプリンタ側記憶手段に記憶すると共に、前記プリンタ装置設定情報を前記可搬型情報記憶手段に書込み、
前記情報処理装置も、更に現在時刻情報を出力する現在時刻出力手段を備え、
前記情報処理装置側制御手段により、前記可搬型情報記憶手段に記録されている前記プリンタ装置設定情報中の前記書込時刻情報も読み出して前記情報処理装置側記憶手段に書込むと共に、前記現在時刻情報が前記書込時刻情報から所定時間以内か否かを判断し、所定時間以内である場合に、前記ネットワークアドレス情報のプリンタ装置を印刷出力先として設定し、前記プリンタ機種情報から対応するプリンタドライバを設定する
ことを特徴とする請求項１に記載の印刷システム。
【請求項３】
前記プリンタ側制御手段は、前記可搬型情報記憶手段の空き容量情報を検出して、前記プリンタ装置設定情報を前記可搬型情報記憶手段に書込可能であるか否かを判定し、書込可能である場合に、前記プリンタ装置設定情報を前記可搬型情報記憶手段に書込む
ことを特徴とする請求項１又は２に記載の印刷システム。
【請求項４】
前記プリンタ側制御手段は、前記可搬型情報記憶手段の空き容量情報について、１台のプリンタ装置のプリンタ装置設定情報の記憶に必要な容量以上の単位毎に分割された領域で、書込済みであるか否かを検出し、１個の領域が書込済みである場合には次の領域で書込済みであるか否かを検出する処理を前記領域の終端まで繰り返し、未書込である領域に前記プリンタ装置設定情報を書込む
ことを特徴とする請求項３に記載の印刷システム。
【請求項５】
前記情報処理装置側制御手段は、前記可搬型情報記憶手段のプリンタ装置設定情報を読み出す際に、前記各領域の単位で書込済みであるか否かを検出し、１個の領域が書込済みである場合にはその領域の前記プリンタ装置設定情報を書込んで更新してから前記可搬型情報記憶手段のその領域のプリンタ装置設定情報を消去し、次の領域で書込済みであるか否かを検出する処理を前記領域の終端まで繰り返し、最後に書込まれた領域の前記プリンタ装置設定情報を書込んで更新し、
該更新されたプリンタ装置設定情報に従い、前記ネットワークアドレス情報のプリンタ装置を印刷出力先として設定し、前記プリンタ機種情報から対応するプリンタドライバを設定する
ことを特徴とする請求項４に記載の印刷システム。
【請求項６】
前記情報処理装置側制御手段は、前記可搬型情報記憶手段のプリンタ装置設定情報を読み出す際に、前記各領域が全て書込済みで領域の終端になった場合には、書込不可通知を出力する
ことを特徴とする請求項５に記載の印刷システム。
【請求項７】
通信回線網に、少なくとも一つのプリンタ装置、及び、少なくとも一つの情報処理装置が接続される印刷システムであって、
前記情報処理装置には、前記プリンタ装置の機種に対応するプリンタドライバが予めインストールされると共に、少なくとも前記プリンタ装置のネットワークアドレス情報、及び、プリンタ機種情報を、プリンタ装置設定情報として記憶する情報処理装置側記憶手段と、
可搬型情報記憶手段と直接に通信接続して前記プリンタ装置設定情報を前記可搬型情報記憶手段に書込及び読出が可能である情報処理装置側インターフェース手段と、
前記情報処理装置側記憶手段に記録されている前記プリンタ装置設定情報を読み出して前記可搬型情報記憶手段に前記プリンタ側インターフェース手段を介して書込むと共に、前記プリンタ機種情報が予めプリンタドライバがインストールされたプリンタ装置の機種に一致するか否かを判断し、一致する場合に、前記ネットワークアドレス情報のプリンタ装置を印刷出力先として設定し、前記プリンタ機種情報から対応するプリンタドライバを設定する情報処理装置側制御手段とを備え、
前記プリンタ装置には、少なくとも前記プリンタ装置のネットワークアドレス情報、及び、プリンタ機種情報を、プリンタ装置設定情報として記憶するプリンタ側記憶手段と、
可搬型情報記憶手段と直接に通信接続して前記プリンタ装置設定情報を前記可搬型情報記憶手段に書込及び読出が可能であるプリンタ側インターフェース手段と、
前記プリンタ装置設定情報を前記プリンタ側インターフェース手段を介して読み出してプリンタ側記憶手段に書込むプリンタ側制御手段とを備える
ことを特徴とする印刷システム。
【請求項８】
前記情報処理装置は、更に現在時刻情報を出力する現在時刻出力手段を備え、
前記情報処理装置側制御手段により、前記プリンタ装置設定情報が書き込まれる時点の前記現在時刻情報が書込時刻情報として更に加えられて前記可搬型情報記憶手段に記録されている前記プリンタ装置設定情報中の前記書込時刻情報を、読み出して前記情報処理装置側記憶手段に書込むと共に、前記現在時刻情報が前記書込時刻情報から所定時間以内か否かを判断し、所定時間以内である場合に、前記ネットワークアドレス情報のプリンタ装置を印刷出力先として設定し、前記プリンタ機種情報から対応するプリンタドライバを設定し、前記プリンタ装置設定情報を前記可搬型情報記憶手段に書込み、
前記プリンタ装置は、前記プリンタ側制御手段により、前記プリンタ機種情報が予めプリンタドライバがインストールされたプリンタ装置の機種に一致するか否かを判断し、一致する場合に、前記プリンタ装置設定情報を前記可搬型情報記憶手段に書込む
ことを特徴とする請求項７に記載の印刷システム。
【請求項９】
前記情報処理装置側制御手段は、前記可搬型情報記憶手段の空き容量情報を検出して、前記プリンタ装置設定情報を前記可搬型情報記憶手段に書込可能であるか否かを判定し、書込可能である場合に、前記プリンタ装置設定情報を前記可搬型情報記憶手段に書込む
ことを特徴とする請求項７又は８に記載の印刷システム。
【請求項１０】
前記情報処理装置側制御手段は、前記可搬型情報記憶手段の空き容量情報について、１台のプリンタ装置のプリンタ装置設定情報の記憶に必要な容量毎に分割された領域の単位で、書込済みであるか否かを検出し、１個の領域が書込済みである場合には次の領域で書込済みであるか否かを検出する処理を前記領域の終端まで繰り返し、未書込である領域に前記プリンタ装置設定情報を書込む
ことを特徴とする請求項９に記載の印刷システム。
【請求項１１】
前記プリンタ側制御手段は、前記可搬型情報記憶手段のプリンタ装置設定情報を読み出す際に、前記各領域の単位で書込済みであるか否かを検出し、１個の領域が書込済みである場合には、次の領域で書込済みであるか否かを検出する処理を前記領域の終端まで繰り返し、最後に書込まれた領域の前記プリンタ装置設定情報を書込んで更新する
ことを特徴とする請求項１０に記載の印刷システム。
【請求項１２】
前記プリンタ側制御手段は、前記各領域が全て書込済みで領域の終端になった場合には、エラー通知を出力する
ことを特徴とする請求項１１に記載の印刷システム。
【請求項１３】
請求項１〜１２の何れかの印刷システムに用いられるプリンタ装置。
【請求項１４】
請求項１〜１２の何れかの印刷システムに用いられる情報処理装置。
【請求項１５】
通信回線網に、少なくとも一つのプリンタ装置、及び、少なくとも一つの情報処理装置が接続される印刷システムの印刷方法であって、
前記プリンタ装置では、
少なくとも前記プリンタ装置のネットワークアドレス情報、及び、プリンタ機種情報を、プリンタ装置設定情報として記憶するステップと、
可搬型情報記憶手段と直接に通信接続して前記プリンタ装置設定情報を前記可搬型情報記憶手段に書込むステップと、
前記プリンタ装置設定情報を読み出して前記可搬型情報記憶手段に書込むステップを有し、
前記情報処理装置では、
前記プリンタ装置の機種に対応するプリンタドライバが予めインストールされるステップと、
少なくとも前記プリンタ装置のネットワークアドレス情報、及び、プリンタ機種情報を、プリンタ装置設定情報として記憶するステップと、
可搬型情報記憶手段と直接に通信接続して前記プリンタ装置設定情報を読出すステップと、
前記可搬型情報記憶手段に記録されている前記プリンタ装置設定情報を読み出すステップと、
前記プリンタ機種情報が予めプリンタドライバがインストールされたプリンタ装置の機種に一致するか否かを判断するステップと、
前記ステップの判断で一致する場合に、記憶されていた前記ネットワークアドレス情報のプリンタ装置を印刷出力先として設定し、前記プリンタ機種情報から対応するプリンタドライバを設定するステップを実施する
ことを特徴とする印刷システムの印刷方法。
【請求項１６】
前記プリンタ装置では、
更に現在時刻情報を出力するステップと、
前記プリンタ装置設定情報が書き込まれる時点の前記現在時刻情報を書込時刻情報として、前記プリンタ装置設定情報に更に加えるステップと、
前記プリンタ装置設定情報を前記可搬型情報記憶手段に書込むステップを実施し、
前記情報処理装置では、
更に現在時刻情報を出力するステップと、
前記可搬型情報記憶手段に記録されている前記プリンタ装置設定情報中の前記書込時刻情報も読み出すステップと、
前記現在時刻情報が前記書込時刻情報から所定時間以内か否かを判断するステップと、
前記ステップの判断で所定時間以内である場合に、前記ネットワークアドレス情報のプリンタ装置を印刷出力先として設定し、前記プリンタ機種情報から対応するプリンタドライバを設定するステップを実施する
ことを特徴とする請求項１５に記載の印刷システムの印刷方法。
【請求項１７】
前記プリンタ装置では、
前記可搬型情報記憶手段の空き容量情報を検出して、前記プリンタ装置設定情報を前記可搬型情報記憶手段に書込可能であるか否かを判定するステップと、
前記ステップで書込可能である場合に、前記プリンタ装置設定情報を前記可搬型情報記憶手段に書込むステップを実施する
ことを特徴とする請求項１５又は１６に記載の印刷システムの印刷方法。
【請求項１８】
前記プリンタ装置では、
前記可搬型情報記憶手段の空き容量情報について、１台のプリンタ装置のプリンタ装置設定情報の記憶に必要な容量以上の単位毎に分割された領域で、書込済みであるか否かを検出するステップと、
前記ステップで１個の領域が書込済みである場合には次の領域で書込済みであるか否かを検出する処理を前記領域の終端まで繰り返し、未書込である領域に前記プリンタ装置設定情報を書込むステップを実施する
ことを特徴とする請求項１７に記載の印刷システムの印刷方法。
【請求項１９】
前記情報処理装置では、
前記可搬型情報記憶手段のプリンタ装置設定情報を読み出す際に、前記各領域の単位で書込済みであるか否かを検出するステップと、
前記ステップで１個の領域が書込済みである場合にはその領域の前記プリンタ装置設定情報を書込んで更新してから前記可搬型情報記憶手段のその領域のプリンタ装置設定情報を消去し、次の領域で書込済みであるか否かを検出する処理を前記領域の終端まで繰り返すステップと、
最後に書込まれた領域の前記プリンタ装置設定情報を書込んで更新するステップと、
該更新されたプリンタ装置設定情報に従い、前記ネットワークアドレス情報のプリンタ装置を印刷出力先として設定し、前記プリンタ機種情報から対応するプリンタドライバを設定するステップを実施する
ことを特徴とする請求項１８に記載の印刷システムの印刷方法。
【請求項２０】
前記情報処理装置では、
前記可搬型情報記憶手段のプリンタ装置設定情報を読み出す際に、前記各領域が全て書込済みで領域の終端になった場合には、書込不可通知を出力するステップを実施する
ことを特徴とする請求項１９に記載の印刷システムの印刷方法。
【請求項２１】
通信回線網に、少なくとも一つのプリンタ装置、及び、少なくとも一つの情報処理装置が接続される印刷システムの印刷方法であって、
前記情報処理装置では、
前記プリンタ装置の機種に対応するプリンタドライバが予めインストールされると共に、少なくとも前記プリンタ装置のネットワークアドレス情報、及び、プリンタ機種情報を、プリンタ装置設定情報として記憶するステップと、
可搬型情報記憶手段と直接に通信接続して前記プリンタ装置設定情報を前記可搬型情報記憶手段から読出すステップと、
前記読み出された前記プリンタ装置設定情報を前記可搬型情報記憶手段に書込むステップと、
前記プリンタ機種情報が予めプリンタドライバがインストールされたプリンタ装置の機種に一致するか否かを判断するステップと、
前記ステップの判断で一致する場合に、前記ネットワークアドレス情報のプリンタ装置を印刷出力先として設定し、前記プリンタ機種情報から対応するプリンタドライバを設定するステップを実施し、
前記プリンタ装置では、
少なくとも前記プリンタ装置のネットワークアドレス情報、及び、プリンタ機種情報を、プリンタ装置設定情報として記憶するステップと、
可搬型情報記憶手段と直接に通信接続して前記プリンタ装置設定情報を前記可搬型情報記憶手段から読出すステップを実施する
ことを特徴とする印刷システムの印刷方法。
【請求項２２】
前記情報処理装置では、
更に現在時刻情報を出力するステップと、
前記プリンタ装置設定情報が書き込まれる時点の前記現在時刻情報が書込時刻情報として更に加えられて前記可搬型情報記憶手段に記録されている前記プリンタ装置設定情報中の前記書込時刻情報を、読み出すステップと、
前記現在時刻情報が前記書込時刻情報から所定時間以内か否かを判断するステップと、
前記ステップの判断で所定時間以内である場合に、前記ネットワークアドレス情報のプリンタ装置を印刷出力先として設定し、前記プリンタ機種情報から対応するプリンタドライバを設定し、前記プリンタ装置設定情報を前記可搬型情報記憶手段に書込むステップを実施し、
前記プリンタ装置では、
前記プリンタ機種情報が予めプリンタドライバがインストールされたプリンタ装置の機種に一致するか否かを判断するステップと、
前記ステップの判断で一致する場合に、前記プリンタ装置設定情報を前記可搬型情報記憶手段に書込むステップを実施する
ことを特徴とする請求項２１に記載の印刷システムの印刷方法。
【請求項２３】
前記情報処理装置では、
前記可搬型情報記憶手段の空き容量情報を検出して、前記プリンタ装置設定情報を前記可搬型情報記憶手段に書込可能であるか否かを判定するステップと、
前記ステップの判定で書込可能である場合に、前記プリンタ装置設定情報を前記可搬型情報記憶手段に書込むステップを実施する
ことを特徴とする請求項２１又は２２に記載の印刷システムの印刷方法。
【請求項２４】
前記情報処理装置では、
前記可搬型情報記憶手段の空き容量情報について、１台のプリンタ装置のプリンタ装置設定情報の記憶に必要な容量毎に分割された領域の単位で、書込済みであるか否かを検出するステップと、
前記ステップで１個の領域が書込済みである場合には次の領域で書込済みであるか否かを検出する処理を前記領域の終端まで繰り返し、未書込である領域に前記プリンタ装置設定情報を書込むステップを実施する
ことを特徴とする請求項２３に記載の印刷システムの印刷方法。
【請求項２５】
前記プリンタ装置では、
前記可搬型情報記憶手段のプリンタ装置設定情報を読み出す際に、前記各領域の単位で書込済みであるか否かを検出するステップと、
前記ステップで１個の領域が書込済みである場合には、次の領域で書込済みであるか否かを検出する処理を前記領域の終端まで繰り返し、最後に書込まれた領域の前記プリンタ装置設定情報を書込んで更新するステップを実施する
ことを特徴とする請求項２４に記載の印刷システムの印刷方法。
【請求項２６】
前記プリンタ装置では、
前記ステップで前記各領域が全て書込済みで領域の終端になった場合には、エラー通知を出力するステップを実施する
ことを特徴とする請求項２５に記載の印刷システムの印刷方法。
【発明の詳細な説明】
【技術分野】
【０００１】
本発明は、通信回線網にプリンタ装置及び情報処理装置が接続された印刷システムに関し、特に、その通信回線網を利用して適切なプリンタ装置が選択されて印刷する印刷システムに関する。
【背景技術】
【０００２】
従来の通信回線網にプリンタ装置及び情報処理装置が接続された印刷システムとしては、例えば、プリンタ装置に可搬型情報記憶手段であるＰＣカードを挿入してプリンタのネットワークアドレス、プリンタドライバ、及び、公開鍵をそのＰＣカードに書込んでから抜き取って、情報処理装置であるパーソナルコンピュータ等に挿入する印刷システムが知られている。
【０００３】
その後にパーソナルコンピュータ側では、ＰＣカードからプリンタドライバを読み出してインストールし、読み出したプリンタ装置のネットワークアドレスを出力先に設定して通信回線網経由でプリンタ装置にアクセスし、まず、パーソナルコンピュータのネットワークアドレスをプリンタ装置に通知して認証を要求する。
【０００４】
プリンタ装置側では、パーソナルコンピュータの要求に対して認証を与えることで適切と判断されたプリンタ装置が選択されて印刷されていた（例えば、特許文献１参照）。
【０００５】
【特許文献１】特開２００３−１０１５４０
【発明の開示】
【発明が解決しようとする課題】
【０００６】
しかしながら、ＰＣカードに書き込まれたプリンタ装置のネットワークアドレス及びプリンタドライバの情報が最新の情報であるとは限らず、情報処理装置側の使用者は、その情報が最新で有ることや適切であることが確認できないため、古い情報や一時的に利用した情報を用いて不適切なプリンタ装置が選択され、その結果、不適切に印刷されるという問題が発生していた。
【０００７】
本発明は、上述した課題を解決するためになされたものであって、プリンタ装置の最新で適切なネットワークアドレスやプリンタドライバが情報処理装置側に提供されて、不適切なプリンタ装置が選択されたり、その結果不適切に印刷されることのない印刷システムおよびその印刷方法を提供すること目的とする。
【課題を解決するための手段】
【０００８】
上記した目的を達成するため、本発明の印刷システムは、通信回線網に、少なくとも一つのプリンタ装置、及び、少なくとも一つの情報処理装置が接続される印刷システムであって、
前記プリンタ装置には、少なくとも前記プリンタ装置のネットワークアドレス情報、及び、プリンタ機種情報を、プリンタ装置設定情報として記憶するプリンタ側記憶手段と、
可搬型情報記憶手段と直接に通信接続して前記プリンタ装置設定情報を前記可搬型情報記憶手段に書込及び読出が可能であるプリンタ側インターフェース手段と、
プリンタ側記憶手段に記録されている前記プリンタ装置設定情報を読み出して前記プリンタ側インターフェース手段を介して前記可搬型情報記憶手段に書込むプリンタ側制御手段とを備え、
前記情報処理装置には、前記プリンタ装置の機種に対応するプリンタドライバが予めインストールされると共に、少なくとも前記プリンタ装置のネットワークアドレス情報、及び、プリンタ機種情報を、プリンタ装置設定情報として記憶する情報処理装置側記憶手段と、
可搬型情報記憶手段と直接に通信接続して前記プリンタ装置設定情報を前記可搬型情報記憶手段に書込及び読出が可能である情報処理装置側インターフェース手段と、
前記読み出された前記プリンタ装置設定情報を前記情報処理装置側記憶手段に書込むと共に、前記プリンタ機種情報が予めプリンタドライバがインストールされたプリンタ装置の機種に一致するか否かを判断し、一致する場合に、前記ネットワークアドレス情報のプリンタ装置を印刷出力先として設定し、前記プリンタ機種情報から対応するプリンタドライバを設定する情報処理装置側制御手段とを備えることを特徴とする。
【０００９】
また、本発明の印刷システムは、通信回線網に、少なくとも一つのプリンタ装置、及び、少なくとも一つの情報処理装置が接続される印刷システムであって、
前記情報処理装置には、前記プリンタ装置の機種に対応するプリンタドライバが予めインストールされると共に、少なくとも前記プリンタ装置のネットワークアドレス情報、及び、プリンタ機種情報を、プリンタ装置設定情報として記憶する情報処理装置側記憶手段と、
可搬型情報記憶手段と直接に通信接続して前記プリンタ装置設定情報を前記可搬型情報記憶手段に書込及び読出が可能である情報処理装置側インターフェース手段と、
前記情報処理装置側記憶手段に記録されている前記プリンタ装置設定情報を読み出して前記可搬型情報記憶手段に前記プリンタ側インターフェース手段を介して書込むと共に、前記プリンタ機種情報が予めプリンタドライバがインストールされたプリンタ装置の機種に一致するか否かを判断し、一致する場合に、前記ネットワークアドレス情報のプリンタ装置を印刷出力先として設定し、前記プリンタ機種情報から対応するプリンタドライバを設定する情報処理装置側制御手段とを備え、
前記プリンタ装置には、少なくとも前記プリンタ装置のネットワークアドレス情報、及び、プリンタ機種情報を、プリンタ装置設定情報として記憶するプリンタ側記憶手段と、
可搬型情報記憶手段と直接に通信接続して前記プリンタ装置設定情報を前記可搬型情報記憶手段に書込及び読出が可能であるプリンタ側インターフェース手段と、
前記プリンタ装置設定情報を前記プリンタ側インターフェース手段を介して読み出してプリンタ側記憶手段に書込むプリンタ側制御手段とを備えることを特徴とする。
【００１０】
また、本発明の印刷システムの印刷方法は、通信回線網に、少なくとも一つのプリンタ装置、及び、少なくとも一つの情報処理装置が接続される印刷システムの印刷方法であって、
前記プリンタ装置には、少なくとも前記プリンタ装置のネットワークアドレス情報、及び、プリンタ機種情報を、プリンタ装置設定情報として記憶するステップと、
可搬型情報記憶手段と直接に通信接続して前記プリンタ装置設定情報を前記可搬型情報記憶手段に書込むステップと、
前記プリンタ装置設定情報を読み出して前記可搬型情報記憶手段に書込むステップを有し、
前記情報処理装置には、前記プリンタ装置の機種に対応するプリンタドライバが予めインストールされるステップと、
少なくとも前記プリンタ装置のネットワークアドレス情報、及び、プリンタ機種情報を、プリンタ装置設定情報として記憶するステップと、
可搬型情報記憶手段と直接に通信接続して前記プリンタ装置設定情報を読出すステップと、
前記可搬型情報記憶手段に記録されている前記プリンタ装置設定情報を読み出すステップと、
前記プリンタ機種情報が予めプリンタドライバがインストールされたプリンタ装置の機種に一致するか否かを判断するステップと、
前記ステップの判断で一致する場合に、前記ネットワークアドレス情報のプリンタ装置を印刷出力先として設定し、前記プリンタ機種情報から対応するプリンタドライバを設定するステップを有することを特徴とする。
【００１１】
また、本発明の印刷システムの印刷方法は、通信回線網に、少なくとも一つのプリンタ装置、及び、少なくとも一つの情報処理装置が接続される印刷システムの印刷方法であって、
前記情報処理装置には、前記プリンタ装置の機種に対応するプリンタドライバが予めインストールされると共に、少なくとも前記プリンタ装置のネットワークアドレス情報、及び、プリンタ機種情報を、プリンタ装置設定情報として記憶するステップと、
可搬型情報記憶手段と直接に通信接続して前記プリンタ装置設定情報を前記可搬型情報記憶手段から読出すステップと、
前記読み出された前記プリンタ装置設定情報を前記可搬型情報記憶手段に書込むステップと、
前記プリンタ機種情報が予めプリンタドライバがインストールされたプリンタ装置の機種に一致するか否かを判断するステップと、
前記ステップの判断で一致する場合に、前記ネットワークアドレス情報のプリンタ装置を印刷出力先として設定し、前記プリンタ機種情報から対応するプリンタドライバを設定するステップを有し、
前記プリンタ装置には、少なくとも前記プリンタ装置のネットワークアドレス情報、及び、プリンタ機種情報を、プリンタ装置設定情報として記憶するステップと、
可搬型情報記憶手段と直接に通信接続して前記プリンタ装置設定情報を前記可搬型情報記憶手段から読出すステップを有することを特徴とする。
【発明の効果】
【００１２】
本発明の印刷システムおよびその印刷方法では、プリンタ装置の最新で適切なネットワークアドレスやプリンタドライバが情報処理装置側に提供されるので、不適切なプリンタ装置が選択されたり、その結果不適切に印刷される事態をなくすことができる。
【発明を実施するための最良の形態】
【００１３】
以下、本発明の実施の形態を図面に従って説明する。
【００１４】
実施の形態１．
図１は、本発明の実施の形態１の印刷システムの全体構成を示すブロック図である。
印刷システム１の中では、例えばパーソナルコンピュータのように印刷データの生成やプリンタ装置への印刷データの送出が可能である情報処理装置２、印刷データに基づく画像の印刷が可能である第１のプリンタ装置３、及び、第２のプリンタ装置５が通信回線網４に接続されている。ＩＣカード９は、情報処理装置２、第１のプリンタ装置３、及び、第２のプリンタ装置５の各々と、制御データを含んで印刷データの記憶及び送受信（通信）が可能である。通信回線網４は、一般的なローカルエリアネットワーク（ＬＡＮ）でもよいし、他の通信回線網でもよい。さらに単一の通信回線網である必要はなく、例えば、複数の通信回線網の組み合わせや、間にインターネットを介したＬＡＮであってもよい。
【００１５】
ＩＣカード９は、少なくとも第１のプリンタ装置３又は第２のプリンタ装置５のネットワークアドレス情報、及び、プリンタ機種情報を記憶することができる記憶容量を有している。ＩＣカード９と情報処理装置２との間、又は、ＩＣカード９と第１のプリンタ装置３又は第２のプリンタ装置５との間の印刷データの通信方法としては、例えば、ＩＣカード９と情報処理装置２と第１のプリンタ装置３又は第２のプリンタ装置５の各々にアンテナが設けられ、無線電波により印刷データを送受信する方法が知られている。ＩＣカード９は、電池を内蔵して印刷データを送受信するものの他に、例えば、電界中で内蔵コイルが誘導起電力を発生させることにより送受信回路を起動させて印刷データを送受信するものが知られている。
【００１６】
本実施の形態では、情報処理装置２と第１のプリンタ装置３又は第２のプリンタ装置５側には無線方式のＩＣカードのアンテナとインターフェース（リーダ／ライタ）が備えられ、ＩＣカード９側にはそれらの各装置と無線方式で通信するためのアンテナとインターフェースをが備えられ、ＩＣカード９と各装置間では無線により印刷データを送受信するものとして説明するが、本発明のＩＣカードはこれに限らず、充分な通信容量や記憶容量が得られれば、例えば、赤外線による光学方式や磁気ヘッドを用いた磁気記録方式を利用しても良い。
【００１７】
第１のプリンタ装置３及び第２のプリンタ装置５の内部構成については、図２を用いて後述し、情報処理装置２の内部構成については、図３を用いて後述し、ＩＣカード９の内部構成については、図４を用いて後述する。
【００１８】
図２は、図１に示した第１のプリンタ装置３又は第２のプリンタ装置５の概略の内部構成を示すブロック図である。
第１のプリンタ装置３と第２のプリンタ装置５は、個々に自装置のみで印刷可能な装置であって、詳細な相違点を有するもののブロック図のレベルでは同一構成である。
ＣＰＵ１０は、プリンタ内部バス１９と接続され、マイクロプロセッサ又は中央演算素子からなるプリンタ装置全体を制御する制御手段である。
ＲＯＭ１１は、プリンタ内部バス１９と接続され、読み出し専用のリードオンリーメモリーであり、プログラムやフォント等のデータを格納する。
ＲＡＭ１２は、プリンタ内部バス１９と接続され、プログラムやデータの一時記憶に用いられるランダムアクセスメモリーである。
ＨＤＤ１３は、プリンタ内部バス１９と接続され、不揮発性メモリとして画像データや各種情報を記憶するハードディスクドライブ装置である。
ＬＣＤ１４は、プリンタ内部バス１９と接続され、液晶表示装置からなり、プリンタ装置の現在の状態や印刷状況等を使用者が認識できるように表示させる表示手段である。
【００１９】
ＲＴＣ１５は、プリンタ内部バス１９と接続され、時間通知手段として用いられるリアルタイムクロックである。
ＩＣカードＩ／Ｆ１６は、プリンタ内部バス１９と接続され、ＩＣカード９から受信した情報やデータをプリンタ装置内部で使用可能な形式に変換して内部バス１９に出力したり、逆にプリンタ装置内部の情報やデータをＩＣカード９に記憶可能な形式に変換してアンテナ２０に出力する。
ネットワークＩ／Ｆ１７は、プリンタ内部バス１９と接続され、通信回線網４から受信した通信回線網４で伝送可能な形式の情報やデータをプリンタ装置内部で使用可能な形式に変換して出力したり、逆にプリンタ装置内部で使用可能な形式の情報やデータを通信回線網４で伝送可能な形式に変換して通信回線網４に出力する。
【００２０】
プリントエンジン１８は、プリンタ内部バス１９と接続され、通信回線網４及びネットワークＩ／Ｆ１７で受信した印刷データが内部バス１９経由で入力されて印刷可能なビットマップ形式のデータに変換して印刷する。
プリンタ内部バス１９は、上記したＣＰＵ１０、ＲＯＭ１１、ＲＡＭ１２、ＨＤＤ１３、ＬＣＤ１４、ＲＴＣ１５、ＩＣカードＩ／Ｆ１６、ネットワークＩ／Ｆ１７と接続されて、各種データや各種の制御信号を伝送する。
アンテナ２０は、ＩＣカードＩ／Ｆ１６に接続され、ＩＣカードＩ／Ｆ１６から入力した信号をＩＣカード９に無線電波で送信し、ＩＣカード９からの無線電波の信号を受信してＩＣカードＩ／Ｆ１６に送出する。
【００２１】
図３は、図１に示した情報処理装置２の概略の内部構成を示すブロック図である。
ＣＰＵ２１は、パソコン内部バス２９と接続され、マイクロプロセッサ又は中央演算素子からなる情報処理装置全体を制御する制御手段である。
ＲＯＭ２２は、パソコン内部バス２９と接続され、読み出し専用のリードオンリーメモリーであり、プログラムやフォント等のデータを格納する。
ＲＡＭ２３は、パソコン内部バス２９と接続され、プログラムやデータの一時記憶に用いられるランダムアクセスメモリーである。
ＨＤＤ２４は、パソコン内部バス２９と接続され、不揮発性メモリとして画像データや各種情報を記憶するハードディスクドライブ装置である。
ＬＣＤ２５は、パソコン内部バス２９と接続され、液晶表示装置からなり、情報処理装置の現在の状態や画像データや印刷状況等を使用者が認識できるように表示させる表示手段である。
【００２２】
ＲＴＣ２６は、パソコン内部バス２９と接続され、時間通知手段として用いられるリアルタイムクロックである。
ＩＣカードＩ／Ｆ２７は、パソコン内部バス２９と接続され、ＩＣカード９から受信した情報やデータを情報処理装置内部で使用可能な形式に変換して内部バス２９に出力したり、逆に情報処理装置内部の情報やデータをＩＣカード９に記憶可能な形式に変換してアンテナ３０に出力する。
ネットワークＩ／Ｆ２８は、パソコン内部バス２９と接続され、通信回線網４から受信した通信回線網４で伝送可能な形式の情報やデータを情報処理装置内部で使用可能な形式に変換して出力したり、逆に情報処理装置内部で使用可能な形式の情報やデータを通信回線網４で伝送可能な形式に変換して通信回線網４に出力する。
【００２３】
パソコン内部バス２９は、上記したＣＰＵ２１、ＲＯＭ２２、ＲＡＭ２３、ＨＤＤ２４、ＬＣＤ２５、ＲＴＣ２６、ＩＣカードＩ／Ｆ２７、ネットワークＩ／Ｆ２８と接続されて、各種データや各種の制御信号を伝送する。
アンテナ３０は、ＩＣカードＩ／Ｆ２７に接続され、ＩＣカードＩ／Ｆ２７から入力した信号をＩＣカード９に無線電波で送信し、ＩＣカード９からの無線電波の信号を受信してＩＣカードＩ／Ｆ２７に送出する。
【００２４】
図４は、図１に示したＩＣカード９の概略の内部構成を示すブロック図である。
ＣＰＵ５１は、ＩＣカード内部バス５６と接続され、マイクロプロセッサ又は中央演算素子からなる情報処理装置全体を制御する制御手段である。
ＲＯＭ５２は、ＩＣカード内部バス５６と接続され、読み出し専用のリードオンリーメモリーであり、プログラムやフォント等のデータを格納する。
ＲＡＭ５３は、ＩＣカード内部バス５６と接続され、プログラムやデータの一時記憶に用いられるランダムアクセスメモリーである。
ＥＥＰＲＯＭ５４は、ＩＣカード内部バス５６と接続され、不揮発性メモリのリードオンリーメモリーであるが電気的に読み書きが可能で、画像データや各種情報やプログラム等のデータを格納する。
【００２５】
ＰＣＩ／Ｆ５５は、ＩＣカード内部バス２９と接続され、情報処理装置２から受信した情報やデータをＩＣカード内部で使用可能な形式に変換して内部バス５６に出力したり、逆にＩＣカード内部の情報やデータを情報処理装置２内部で処理可能な形式に変換してアンテナ５７に出力する。
ＩＣカード内部バス５６は、上記したＣＰＵ５１、ＲＯＭ５２、ＲＡＭ５３、ＥＥＰＲＯＭ５４、ＰＣＩ／Ｆ５５と接続されて、各種データや各種の制御信号を伝送する。
アンテナ５７は、ＰＣＩ／Ｆ５５に接続され、ＰＣＩ／Ｆ５５から入力した信号を情報処理装置２に無線電波で送信し、情報処理装置２からの無線電波の信号を受信してＰＣＩ／Ｆ５５に送出する。
【００２６】
図５（ａ）は、図１及び図４に示したＩＣカード９に記憶されるプリンタ装置の装置設定情報の例を分割された記憶領域のブロック単位毎に記憶内容を示した図であり、（ｂ）は、（ａ）の第１領域のさらに具体的な例を示した図である。
図５（ａ）の記憶ブロック４１〜４３が、第１のプリンタ装置３の装置設定情報を記憶する第１領域であり、記憶ブロック４１に第１のプリンタ装置３のネットワークアドレス、記憶ブロック４２に第１のプリンタ装置３のネットワークアドレスがＩＣカード９に書き込まれた時刻、記憶ブロック４３に第１のプリンタ装置３の機種名が記憶される。
ここでプリンタ装置の機種名を記憶させる理由は、一般的に情報処理装置に各種のプリンタドライバを予め格納しておく場合には、プリンタ装置の機種名と対応させてそのプリンタドライバを格納する場合が多いためである。従って、最終的にプリンタ装置のプリンタドライバを導き出せる情報であればよく、例えば、ＩＤ番号等を記憶させておき、対照表等でプリンタ装置の機種名、あるいは直接にそのプリンタドライバがわかるようにしてもよい。
【００２７】
図５（ａ）の記憶ブロック４４〜４６が、第２のプリンタ装置５の装置設定情報を記憶する第２領域であり、記憶ブロック４４に第２のプリンタ装置５のネットワークアドレス、記憶ブロック４５に第２のプリンタ装置５のネットワークアドレスがＩＣカード９に書き込まれた時刻、記憶ブロック４６に第２のプリンタ装置５の機種名が記憶される。
図５（ａ）の記憶ブロック４７〜４９が、第ｎ（ｎは正の整数）のプリンタ装置の装置設定情報を記憶する第ｎ領域であり、記憶ブロック４７に第ｎのプリンタ装置のネットワークアドレス、記憶ブロック４８に第ｎのプリンタ装置のネットワークアドレスがＩＣカード９に書き込まれた時刻、記憶ブロック４９に第ｎのプリンタ装置の機種名が記憶される。そして、記憶ブロック５０には、例えば、記憶領域の終端を示すコードが記憶される。
【００２８】
図５（ｂ）の記憶ブロック３１には、図５（ａ）の第１領域の記憶ブロック４１の第１ネットワークアドレスの具体的な例として「１９２．１６８．１．３」というネットワークアドレスが記載されている。
図５（ｂ）の記憶ブロック３２には、図５（ａ）の第１領域の記憶ブロック４２の第１書込時刻の具体的な例として「１９９４年３月１４日１５時２２分」という書込時刻が記載されている。
図５（ｂ）の記憶ブロック３３には、図５（ａ）の第１領域の記憶ブロック４３の第１機種名の具体的な例として「Ｐｒｉｎｔｅｒ  ２０００」という機種名が記載されている。
【００２９】
図６は、実施の形態１の第１のプリンタ装置３又は第２のプリンタ装置５の中でプログラムの実施により構成される処理動作部を示した図である。
ＩＣカード読取部６１は、例えば、図２のＩＣカードＩ／Ｆ１６にプリンタ内部バス１９で接続されたＣＰＵ１０、ＲＯＭ１１、ＲＡＭ１２、ＨＤＤ１３等から構成される処理動作部であり、ＩＣカード９から現在記録されているプリンタ装置の装置設定情報や印刷データを読み出し、読み出し結果の情報を後述のＩＣカード書込部６２に出力する処理動作を行う。また、ＩＣカード読取部６１は、ＩＣカード９の読み出し結果の情報から、プリンタ装置の装置設定情報の書込が可能であるか否かを判断する検知手段としても機能する。
【００３０】
ＩＣカード書込部６２は、例えば、図２のＩＣカードＩ／Ｆ１６にプリンタ内部バス１９で接続されたＣＰＵ１０、ＲＯＭ１１、ＲＡＭ１２、ＨＤＤ１３等から構成される処理動作部であり、ＩＣカード読取部６１からの読み出し結果の情報が入力されると共に、後述するネットワークアドレス記憶部６３、書込時間読取部６４、機種名記憶部６５との間で対応する各情報の記憶処理動作及び読出処理動作が可能であり、さらに、ＩＣカードＩ／Ｆ１６を介してＩＣカード９にプリンタ装置の装置設定情報等の書き込む処理動作を行う。
【００３１】
ネットワークアドレス記憶部６３は、例えば、図２のＩＣカードＩ／Ｆ１６にプリンタ内部バス１９で接続されたＣＰＵ１０、ＲＯＭ１１、ＲＡＭ１２、ＨＤＤ１３等から構成される処理動作部であり、そのプリンタのネットワークアドレスを記憶する処理動作を行う。
【００３２】
書込時間読取部６４は、例えば、図２のＩＣカードＩ／Ｆ１６にプリンタ内部バス１９で接続されたＣＰＵ１０、ＲＴＣ１５、ＲＯＭ１１、ＲＡＭ１２、ＨＤＤ１３等から構成される処理動作部であり、ＩＣカード９にネットワークアドレスや機種名が記憶される時刻をＲＴＣ１５で検出して記憶し、その時刻を書込時間として読み取る処理動作を行う。
【００３３】
機種名記憶部６５は、例えば、図２のＩＣカードＩ／Ｆ１６にプリンタ内部バス１９で接続されたＣＰＵ１０、ＲＯＭ１１、ＲＡＭ１２、ＨＤＤ１３等から構成される処理動作部であり、そのプリンタの機種名を記憶する処理動作を行う。
【００３４】
図７は、実施の形態１の情報処理装置（パソコン）の中でプログラムの実施により構成される処理動作部を示した図である。
ＩＣカード読取部７１は、例えば、図３のＩＣカードＩ／Ｆ２７にパソコン内部バス２９で接続されたＣＰＵ２１、ＲＯＭ２２、ＲＡＭ２３、ＨＤＤ２４等から構成される処理動作部であり、ＩＣカード９から現在記録されているプリンタ装置の装置設定情報や印刷データを読み出し、読み出し結果の情報を後述するネットワークアドレス設定部７５、書込時間比較部７３、機種名比較部７４との間で対応する各情報の記憶（設定）処理動作、記憶されている内容の読出処理動作、及び、読み出された内容と新たに入力した内容との比較処理動作と比較結果の出力処理動作を行う。
【００３５】
ＩＣカード書込部７２は、例えば、図３のＩＣカードＩ／Ｆ２７にパソコン内部バス２９で接続されたＣＰＵ２１、ＲＯＭ２２、ＲＡＭ２３、ＨＤＤ２４等から構成される処理動作部であり、ネットワークアドレス記憶部７５からの読み出し結果のネットワークアドレス情報が入力されると共に、ＩＣカードＩ／Ｆ２７を介してＩＣカード９にプリンタ装置のネットワークアドレスの書き込む処理動作を行う。
【００３６】
書込時間比較部７３は、例えば、図３のＩＣカードＩ／Ｆ２７にパソコン内部バス２９で接続されたＣＰＵ２１、ＲＴＣ２６、ＲＯＭ２２、ＲＡＭ２３、ＨＤＤ２４等から構成される処理動作部であり、ＩＣカード９に記憶されたネットワークアドレスや機種名が書き込まれた書込時刻と、ＲＴＣ２６で検出された現在時刻とを比較し、例えば、現在時刻が書込時刻から２４時間以内等の所定時間以内であるかの比較結果をＩＣカード読取部７１のＣＰＵ２１等に出力する処理動作を行う。
【００３７】
機種名比較部７４は、例えば、図３のＩＣカードＩ／Ｆ２７にパソコン内部バス２９で接続されたＣＰＵ２１、ＲＯＭ２２、ＲＡＭ２３、ＨＤＤ２４等から構成される処理動作部であり、ＩＣカード９に記憶された機種名と、既に印刷データの出力先として設定されているプリンタの機種名を比較し、一致するか否かの比較結果をＩＣカード読取部７１のＣＰＵ２１等に出力する処理動作を行う。
【００３８】
ネットワークアドレス設定部７５は、例えば、図３のＩＣカードＩ／Ｆ２７にパソコン内部バス２９で接続されたＣＰＵ２１、ＲＯＭ２２、ＲＡＭ２３、ＨＤＤ２４等から構成される処理動作部であり、使用者がプリント出力を希望するプリンタのネットワークアドレスを記憶し、そのネットワークアドレスをプリンタ側に設定させるためにＩＣカード書込部７２に出力する処理動作を行う。
【００３９】
図８は、実施の形態１の第１のプリンタ装置３又は第２のプリンタ装置５にＩＣカード９が通信接続された場合のＩＣカード読取部６１とＩＣカード書込部６２の処理動作を示したフローチャートである。
無線方式のＩＣカード９が第１のプリンタ装置３又は第２のプリンタ装置５に近づけられて通信接続された場合、ＩＣカード読取部６１は、まず最初に、第１領域を指定し（Ｓ１０１）、ＩＣカード９から指定された領域の情報を読み取り始める（Ｓ１０２）。
次に、ＩＣカード読取部６１は、読み取った情報がＩＣカード９に記憶領域の終端を示すか否かを判断する（Ｓ１０３）。読み取った情報がＩＣカード９に記憶領域の終端を示す場合（Ｓ１０３：ＹＥＳ）には、ＩＣカード書込部６２によるネットワークアドレスの書込は不可能であると判断して書込不可通知を出力（Ｓ１０７）し、処理動作を終了する。
【００４０】
読み取った情報がＩＣカード９に記憶領域の終端を示さない場合（Ｓ１０３：ＮＯ）には、その記憶領域には既にネットアドレスが書込済みか否かを判断する（Ｓ１０４）。ネットアドレスが書込済みの場合（Ｓ１０４：ＹＥＳ）には、例えば現在が第１領域だったら第２領域のように、次の記憶領域を指定し（Ｓ１０５）、再度ステップＳ１０２に戻ってＩＣカード９から情報を読み取る。ここまでの処理動作がステップＳ１０３で記憶領域の終端が読み取られる（検出される）まで繰り返される。
その記憶領域にネットアドレスが書込済みではない場合（Ｓ１０４：ＮＯ）には、その記憶領域にはネットワークアドレスの書込が可能であると判断し（Ｓ１０６）、ＩＣカード書込部６２によりネットアドレス情報を書込（Ｓ１０８）、処理動作を終了する。
【００４１】
図９は、実施の形態１の情報処理装置２にＩＣカード９が通信接続された場合のＩＣカード読取部７１とＩＣカード書込部７２の処理動作を示したフローチャートである。
無線方式のＩＣカード９が情報処理装置２に近づけられて通信接続された場合、ＩＣカード読取部７１は、まず最初に、第１領域を指定し（Ｓ１１１）、ＩＣカード９から指定された領域の情報を読み取り始める（Ｓ１１２）。
次に、ＩＣカード読取部７１は、読み取った情報がＩＣカード９に記憶領域の終端を示すか否かを判断する（Ｓ１１３）。読み取った情報がＩＣカード９に記憶領域の終端を示す場合（Ｓ１１３：ＹＥＳ）には、処理動作を終了する。
【００４２】
読み取った情報がＩＣカード９に記憶領域の終端を示さない場合（Ｓ１１３：ＮＯ）には、その記憶領域には既にネットアドレスが書込済みか否かを判断する（Ｓ１１４）。ネットアドレスが書込済みではない場合（Ｓ１１４：ＮＯ）には、例えば現在が第１領域だったら第２領域のように、次の記憶領域を指定し（Ｓ１１９）、再度ステップＳ１１２に戻ってＩＣカード９から情報を読み取る。
その記憶領域にネットアドレスが書込済みである場合（Ｓ１１４：ＹＥＳ）には、そのＩＣカード９の記憶領域に書き込まれていた機種名が情報処理装置２の機種名比較部７３に書込済みの機種名と一致するか否かを判断する（Ｓ１１５）。
機種名が一致しない場合（Ｓ１１５：ＮＯ）には、次の記憶領域を指定し（Ｓ１１９）、再度ステップＳ１１２に戻ってＩＣカード９から情報を読み取る。
機種名が一致する場合（Ｓ１１５：ＹＥＳ）には、そのＩＣカード９の記憶領域に書き込まれていた書込時刻からＲＴＣ２６で得られる現在時刻までの時間差が、例えば２４時間以内等の所定時間以内であるか否かを判断する（Ｓ１１６）。
【００４３】
時間差が所定時間以内ではない場合（Ｓ１１６：ＮＯ）には、次の記憶領域を指定し（Ｓ１１９）、再度ステップＳ１１２に戻ってＩＣカード９から情報を読み取る。
時間差が所定時間以内である場合（Ｓ１１６：ＹＥＳ）には、その記憶領域に書込済みのネットワークアドレスは、２４時間以内に書き込まれた最新版であることから、ネットワークアドレス設定部７５に記憶されている既存のプリンタのネットワークアドレスを最新版のネットワークアドレスに変更する（Ｓ１１７）。
ネットワークアドレス設定部７５に記憶されるプリンタのネットワークアドレスが最新版に変更されたら、ＩＣカード９におけるそのネットワークアドレスが記憶されていた記憶領域は不要になるので消去（Ｓ１１８）してから、次の記憶領域を指定し（Ｓ１１９）、再度ステップＳ１１２に戻ってＩＣカード９から情報を読み取る。
ここまでの処理動作がステップＳ１１３で記憶領域の終端が読み取られる（検出される）まで繰り返される。
【００４４】
以上のように本実施の形態の印刷システムは、通信回線網４に、少なくとも一つのプリンタ装置（第１のプリンタ装置３及び第２のプリンタ装置５）、及び、少なくとも一つの情報処理装置２が接続される印刷システムである。
本実施の形態のプリンタ装置３、５には、少なくともそのプリンタ装置のネットワークアドレス情報、及び、プリンタ機種情報（機種名）を、プリンタ装置の設定情報として記憶するプリンタ側記憶手段（ＲＯＭ１１、ＲＡＭ１２、ＨＤＤ１３、ネットワークアドレス記憶部６３、機種名記憶部６５のいずれか）を備え、又、可搬型情報記憶手段（ＩＣカード９）と直接に通信接続してプリンタ装置設定情報を可搬型情報記憶手段に書込及び読出が可能であるプリンタ側インターフェース手段（ＩＣカードＩ／Ｆ１６、アンテナ２０）を備え、更に、プリンタ側記憶手段に記録されているプリンタ装置設定情報を読み出してプリンタ側インターフェース手段を介して可搬型情報記憶手段に書込むプリンタ側制御手段（ＣＰＵ１０、ＩＣカード読取部６１、ＩＣカード書込部６２）を備える。
【００４５】
本実施の形態のプリンタ装置３、５は、更に現在時刻情報を出力する現在時刻出力手段（ＲＴＣ１５、書込時間読取部６４）を備え、プリンタ側制御手段により、プリンタ装置設定情報が書き込まれる時点の現在時刻情報を書込時刻情報として、プリンタ装置設定情報に更に加えてプリンタ側記憶手段に記憶すると共に、プリンタ装置設定情報を前記可搬型情報記憶手段に書込む。
【００４６】
本実施の形態のプリンタ側制御手段は、可搬型情報記憶手段の空き容量情報を検出して、プリンタ装置設定情報を可搬型情報記憶手段に書込可能であるか否かを判定し、書込可能である場合に、プリンタ装置設定情報を可搬型情報記憶手段に書込む。又、本実施の形態のプリンタ側制御手段は、可搬型情報記憶手段の空き容量情報について、１台のプリンタ装置のプリンタ装置設定情報の記憶に必要な容量以上の単位毎に分割された領域で、書込済みであるか否かを検出し、１個の領域が書込済みである場合には次の領域で書込済みであるか否かを検出する処理を領域の終端まで繰り返し、未書込である領域にプリンタ装置設定情報を書込む。
【００４７】
本実施の形態の情報処理装置（パソコン）２には、プリンタ装置の機種に対応するプリンタドライバが予めインストールされると共に、少なくともプリンタ装置５、３のネットワークアドレス情報、及び、プリンタ機種情報を、プリンタ装置設定情報として記憶する情報処理装置側記憶手段（ＲＯＭ２２、ＲＡＭ２３、ＨＤＤ２４、機種名比較部７４、ネットワークアドレス設定部７５）と、可搬型情報記憶手段と直接に通信接続してプリンタ装置設定情報を可搬型情報記憶手段に書込及び読出が可能である情報処理装置側インターフェース手段（ＩＣカードＩ／Ｆ２７、アンテナ３０）と、読み出されたプリンタ装置設定情報を情報処理装置側記憶手段に書込むと共に、プリンタ機種情報が予めプリンタドライバがインストールされたプリンタ装置の機種に一致するか否かを判断し、一致する場合に、情報処理装置側記憶手段に記憶させたネットワークアドレス情報のプリンタ装置を印刷出力先として設定し、プリンタ機種情報から対応するプリンタドライバを設定する情報処理装置側制御手段（ＣＰＵ２１、ＩＣカード読取部７１、ＩＣカード書込部７２）を備える。
【００４８】
本実施の形態の情報処理装置２は、更に現在時刻情報を出力する現在時刻出力手段（ＲＴＣ２６、書込時間比較部７３）を備え、情報処理装置側制御手段により、可搬型情報記憶手段に記録されているプリンタ装置設定情報中の書込時刻情報も読み出して情報処理装置側記憶手段に書込むと共に、現在時刻情報が書込時刻情報から所定時間以内か否かを判断し、所定時間以内である場合に、ネットワークアドレス情報のプリンタ装置を印刷出力先として設定し、プリンタ機種情報から対応するプリンタドライバを設定する。
【００４９】
本実施の形態の情報処理装置側制御手段は、可搬型情報記憶手段のプリンタ装置設定情報を読み出す際に、各領域の単位で書込済みであるか否かを検出し、１個の領域が書込済みである場合にはその領域のプリンタ装置設定情報を書込んで更新してから可搬型情報記憶手段のその領域のプリンタ装置設定情報を消去し、次の領域で書込済みであるか否かを検出する処理を領域の終端まで繰り返し、最後に書込まれた領域のプリンタ装置設定情報を書込んで更新し、その更新されたプリンタ装置設定情報に従い、ネットワークアドレス情報のプリンタ装置を印刷出力先として設定し、プリンタ機種情報から対応するプリンタドライバを設定する。又、本実施の形態の情報処理装置側制御手段は、可搬型情報記憶手段のプリンタ装置設定情報を読み出す際に、各領域が全て書込済みで領域の終端になった場合には、書込不可通知を出力する。
【００５０】
このように本実施の形態の印刷システムでは、プリンタ装置の最新で適切なネットワークアドレス及び機種名が可搬のＩＣカードを介して情報処理装置側に提供され、情報処理装置側ではそのネットワークアドレス及び機種名が一定時間内に書き込まれたことから最新でかつ適切であることを確認し、その適切なネットワークアドレス及び機種名に基づいて対応する適切なプリンタドライバを設定できるので、不適切なプリンタ装置が選択されたり、その結果不適切に印刷される事態をなくすことができる。
【００５１】
実施の形態２．
上記した実施の形態１では、プリンタ装置の最新で適切なネットワークアドレス及び機種名が可搬のＩＣカードを介して情報処理装置側に提供することで、不適切なプリンタ装置が選択されたり、その結果不適切に印刷される事態をなくしていたが、使用者にとっては情報処理装置側にプリンタドライバや機種名が登録されているプリンタ装置を利用したい場合も考えられる。又、上記した実施の形態１に示したように可搬のＩＣカードには、複数のプリンタ装置についてのプリンタ装置設定情報が複数の領域に登録されており、使用者が希望するプリンタ装置のプリンタ装置設定情報が既に登録済みである場合も考えられる。そのような場合について以下に実施の形態２として説明する。
【００５２】
実施の形態２の基本的な構成は、図１〜図５に示された実施の形態１の構成と同様である。しかし、実施の形態２の処理動作は、実施の形態１の処理動作とは異なるため、図６のプリンタ装置の中でプログラムの実施により構成される処理動作部、図８の情報処理装置の中でプログラムの実施により構成される処理動作部、図７のプリンタ装置にＩＣカードが通信接続された場合のＩＣカード読取部とＩＣカード書込部の処理動作、及び、図９の情報処理装置にＩＣカードが通信接続された場合のＩＣカード読取部とＩＣカード書込部の処理動作については異なっている。
【００５３】
図１０は、実施の形態２の情報処理装置（パソコン）の中でプログラムの実施により構成される処理動作部を示した図である。
ＩＣカード読取部８１は、例えば、図３のＩＣカードＩ／Ｆ２７にパソコン内部バス２９で接続されたＣＰＵ２１、ＲＯＭ２２、ＲＡＭ２３、ＨＤＤ２４等から構成される処理動作部であり、ＩＣカード９から現在記録されているプリンタ装置の装置設定情報や印刷データを読み出し、読み出し結果の情報を後述のＩＣカード書込部８２に出力する処理動作を行う。また、ＩＣカード読取部８１は、ＩＣカード９の読み出し結果の情報から、プリンタ装置の装置設定情報の書込が可能であるか否かを判断する検知手段としても機能する。
【００５４】
ＩＣカード書込部８２は、例えば、図３のＩＣカードＩ／Ｆ２７にパソコン内部バス２９で接続されたＣＰＵ２１、ＲＯＭ２２、ＲＡＭ２３、ＨＤＤ２４等から構成される処理動作部であり、機種名記憶部８３からの読み出し結果の機種名情報が入力されると共に、ＩＣカードＩ／Ｆ２７を介してＩＣカード９にプリンタ装置の機種名の書き込む処理動作を行う。
尚、本実施の形態は、使用者が希望するプリンタ装置のプリンタ装置設定情報が既に登録済みである場合について説明しているが、使用者が希望するプリンタ装置のプリンタ装置設定情報が登録済みでない場合には、例えば、情報処理装置の任意の入力手段によりプリンタ装置設定情報（機種名情報等）が入力されて後述する機種名記憶部８３に記憶される。
【００５５】
機種名比較部８３は、例えば、図３のＩＣカードＩ／Ｆ２７にパソコン内部バス２９で接続されたＣＰＵ２１、ＲＯＭ２２、ＲＡＭ２３、ＨＤＤ２４等から構成される処理動作部であり、ＩＣカード９に記憶された機種名と、既に印刷データの出力先として設定されているプリンタの機種名を比較し、一致するか否かの比較結果をＩＣカード書込部８２のＣＰＵ２１等に出力する処理動作を行う。
【００５６】
書込時間比較部８４は、例えば、図３のＩＣカードＩ／Ｆ２７にパソコン内部バス２９で接続されたＣＰＵ２１、ＲＴＣ２６、ＲＯＭ２２、ＲＡＭ２３、ＨＤＤ２４等から構成される処理動作部であり、ＩＣカード９に記憶されたネットワークアドレスや機種名が書き込まれた書込時刻と、ＲＴＣ２６で検出された現在時刻とを比較し、例えば、現在時刻が書込時刻から２４時間以内等の所定時間以内であるかの比較結果をＩＣカード書込部８２のＣＰＵ２１等に出力する処理動作を行う。
【００５７】
ネットワークアドレス記憶部８５は、例えば、図３のＩＣカードＩ／Ｆ２７にパソコン内部バス２９で接続されたＣＰＵ２１、ＲＯＭ２２、ＲＡＭ２３、ＨＤＤ２４等から構成される処理動作部であり、使用者がプリント出力を希望するプリンタのネットワークアドレスを記憶する処理動作を行う。
【００５８】
図１１は、実施の形態２の第１のプリンタ装置３又は第２のプリンタ装置５の中でプログラムの実施により構成される処理動作部を示した図である。
ＩＣカード読取部９１は、例えば、図２のＩＣカードＩ／Ｆ１６にプリンタ内部バス１９で接続されたＣＰＵ１０、ＲＯＭ１１、ＲＡＭ１２、ＨＤＤ１３等から構成される処理動作部であり、ＩＣカード９から現在記録されているプリンタ装置の装置設定情報や印刷データを読み出し、読み出し結果の情報を後述のＩＣカード書込部９２に出力する処理動作を行う。また、ＩＣカード読取部９１は、ＩＣカード９の読み出し結果の情報から、プリンタ装置の装置設定情報の書込が可能であるか否かを判断する検知手段としても機能する。
【００５９】
ＩＣカード書込部９２は、例えば、図２のＩＣカードＩ／Ｆ１６にプリンタ内部バス１９で接続されたＣＰＵ１０、ＲＯＭ１１、ＲＡＭ１２、ＨＤＤ１３等から構成される処理動作部であり、ＩＣカード読取部９１からの読み出し結果の情報が入力されると共に、後述するネットワークアドレス記憶部９３、書込時間読取部９４、機種名記憶部９５との間で対応する各情報の記憶処理動作及び読出処理動作が可能であり、さらに、ＩＣカードＩ／Ｆ１６を介してＩＣカード９にプリンタ装置の装置設定情報等の書き込む処理動作を行う。
【００６０】
ネットワークアドレス記憶部９３は、例えば、図２のＩＣカードＩ／Ｆ１６にプリンタ内部バス１９で接続されたＣＰＵ１０、ＲＯＭ１１、ＲＡＭ１２、ＨＤＤ１３等から構成される処理動作部であり、そのプリンタのネットワークアドレスを記憶する処理動作を行う。
【００６１】
書込時間読取部９４は、例えば、図２のＩＣカードＩ／Ｆ１６にプリンタ内部バス１９で接続されたＣＰＵ１０、ＲＴＣ１５、ＲＯＭ１１、ＲＡＭ１２、ＨＤＤ１３等から構成される処理動作部であり、ＩＣカード９にネットワークアドレスや機種名が記憶される時刻をＲＴＣ１５で検出して記憶し、その時刻を書込時間として読み取る処理動作を行う。
【００６２】
機種名記憶部９５は、例えば、図２のＩＣカードＩ／Ｆ１６にプリンタ内部バス１９で接続されたＣＰＵ１０、ＲＯＭ１１、ＲＡＭ１２、ＨＤＤ１３等から構成される処理動作部であり、そのプリンタの機種名を記憶する処理動作を行う。
【００６３】
図１２は、実施の形態２の情報処理装置２にＩＣカード９が通信接続された場合のＩＣカード読取部８１とＩＣカード書込部８２の処理動作を示したフローチャートである。
無線方式のＩＣカード９が情報処理装置２に近づけられて通信接続された場合、ＩＣカード読取部８１は、まず最初に、第１領域を指定し（Ｓ１４１）、ＩＣカード９から指定された領域の情報を読み取り始める（Ｓ１４２）。
次に、ＩＣカード読取部８１は、読み取った情報がＩＣカード９に記憶領域の終端を示すか否かを判断する（Ｓ１４３）。読み取った情報がＩＣカード９に記憶領域の終端を示す場合（Ｓ１４３：ＹＥＳ）には、第１領域を指定して（Ｓ１５２）、ＩＣカード書込部８２により機種名をＩＣカード９に書込し（Ｓ１４９）し、処理動作を終了する。
【００６４】
読み取った情報がＩＣカード９に記憶領域の終端を示さない場合（Ｓ１４３：ＮＯ）には、その記憶領域には既にネットアドレスが書込済みか否かを判断する（Ｓ１４４）。ネットアドレスが書込済みではない場合（Ｓ１４４：ＮＯ）には、ＩＣカード９におけるその指定された記憶領域の情報を消去し（Ｓ１５０）、例えば現在が第１領域だったら第２領域のように、次の記憶領域を指定し（Ｓ１５１）、再度ステップＳ１４２に戻ってＩＣカード９から情報を読み取る。
その記憶領域にネットアドレスが書込済みである場合（Ｓ１４４：ＹＥＳ）には、そのＩＣカード９の記憶領域に書き込まれていた機種名が情報処理装置２の機種名記憶部８３に書込済みの機種名と一致するか否かを判断する（Ｓ１４５）。
機種名が一致しない場合（Ｓ１４５：ＮＯ）には、ＩＣカード９におけるその指定された記憶領域の情報を消去し（Ｓ１５０）、次の記憶領域を指定し（Ｓ１５１）、再度ステップＳ１４２に戻ってＩＣカード９から情報を読み取る。
機種名が一致する場合（Ｓ１４５：ＹＥＳ）には、そのＩＣカード９の記憶領域に書き込まれていた書込時刻からＲＴＣ２６で得られる現在時刻までの時間差が、例えば２４時間以内等の所定時間以内であるか否かを判断する（Ｓ１４６）。
【００６５】
時間差が所定時間以内ではない場合（Ｓ１４６：ＮＯ）には、ＩＣカード９におけるその指定された記憶領域の情報を消去し（Ｓ１５０）、次の記憶領域を指定し（Ｓ１５１）、再度ステップＳ１４２に戻ってＩＣカード９から情報を読み取る。
時間差が所定時間以内である場合（Ｓ１４６：ＹＥＳ）には、その記憶領域に書込済みのネットワークアドレスは、２４時間以内に書き込まれた最新版であることから、ネットワークアドレス記憶部８５に記憶されている既存のプリンタのネットワークアドレスを最新版のネットワークアドレスに変更する（Ｓ１４７）。
ここまでの処理動作がステップＳ１４３で記憶領域の終端が読み取られる（検出される）まで繰り返される。
【００６６】
ネットワークアドレス記憶部８５に記憶されるプリンタのネットワークアドレスが最新版に変更されたら、ＩＣカード９におけるそのネットワークアドレスが記憶されていた記憶領域は不要になるので消去（Ｓ１４８）して、ＩＣカード書込部８２により機種名をＩＣカード９に書込し（Ｓ１４９）し、処理動作を終了する。
【００６７】
図１３は、実施の形態２の第１のプリンタ装置３又は第２のプリンタ装置５にＩＣカード９が通信接続された場合のＩＣカード読取部９１とＩＣカード書込部９２の処理動作を示したフローチャートである。
無線方式のＩＣカード９が第１のプリンタ装置３又は第２のプリンタ装置５に近づけられて通信接続された場合、ＩＣカード読取部９１は、まず最初に、第１領域を指定し（Ｓ１２１）、ＩＣカード９から指定された領域の情報を読み取り始める（Ｓ１２２）。
次に、ＩＣカード読取部９１は、読み取った情報がＩＣカード９に記憶領域の終端を示すか否かを判断する（Ｓ１２３）。読み取った情報がＩＣカード９に記憶領域の終端を示す場合（Ｓ１２３：ＹＥＳ）には、プリンタのＬＣＤ２５にエラーメッセージを表示させて（Ｓ１２９）、処理動作を終了する。
【００６８】
図１４は、図１３のステップＳ１２９でＬＣＤに表示されるエラーメッセージの一例を示す図である。
ＩＣカード９に記憶されたプリンタの機種と第１のプリンタ装置３又は第２のプリンタ装置５の機種とが異なる場合であるので、一例として「プリンタの機種が違います。」がＬＣＤ（表示部）２５に表示される。
【００６９】
読み取った情報がＩＣカード９に記憶領域の終端を示さない場合（Ｓ１２３：ＮＯ）には、その記憶領域には既にネットアドレスが書込済みか否かを判断する（Ｓ１２４）。
その記憶領域にネットアドレスが書込済みではない場合（Ｓ１２４：ＮＯ）には、そのＩＣカード９の記憶領域に機種名が書き込まれているか否かを判断する（Ｓ１２５）。
【００７０】
機種名が書き込まれていない場合（Ｓ１２５：ＮＯ）には、次の記憶領域を指定し（Ｓ１２７）、再度ステップＳ１２２に戻ってＩＣカード９から情報を読み取る。
機種名が書き込まれている場合（Ｓ１２５：ＹＥＳ）には、そのＩＣカード９の記憶領域に書き込まれていた機種名が情報処理装置２の機種名記憶部６５に書込済みの機種名と一致するか否かを判断する（Ｓ１２６）。
機種名が一致しない場合（Ｓ１２６：ＮＯ）には、次の記憶領域を指定し（Ｓ１２７）、再度ステップＳ１２２に戻ってＩＣカード９から情報を読み取る。
ここまでの処理動作がステップＳ１２３で記憶領域の終端が読み取られる（検出される）まで繰り返される。
【００７１】
機種名が一致する場合（Ｓ１２６：ＹＥＳ）には、そのＩＣカード９の記憶領域にネットワークアドレスを最新版のネットワークアドレスとして書き込む（Ｓ１２８）。
【００７２】
以上のように本実施の形態の印刷システムは、通信回線網４に、少なくとも一つのプリンタ装置３、５、及び、少なくとも一つの情報処理装置２が接続される印刷システムである。
【００７３】
本実施の形態の情報処理装置２には、プリンタ装置３、５の機種に対応するプリンタドライバが予めインストールされると共に、少なくともプリンタ装置３、５のネットワークアドレス情報、及び、プリンタ機種情報を、プリンタ装置設定情報として記憶する情報処理装置側記憶手段（ＲＯＭ２２、ＲＡＭ２３、ＨＤＤ２４、機種名比較部８３、書込時間比較部８４、ネットワークアドレス記憶部８５）と、可搬型情報記憶手段（ＩＣカード９）と直接に通信接続してプリンタ装置設定情報を可搬型情報記憶手段に書込及び読出が可能である情報処理装置側インターフェース手段（ＩＣカードＩ／Ｆ２７、アンテナ３０）と、情報処理装置側記憶手段に記録されているプリンタ装置設定情報を読み出して可搬型情報記憶手段にプリンタ側インターフェース手段を介して書込むと共に、プリンタ機種情報が予めプリンタドライバがインストールされたプリンタ装置の機種に一致するか否かを判断し、一致する場合に、ネットワークアドレス情報のプリンタ装置を印刷出力先として設定し、プリンタ機種情報から対応するプリンタドライバを設定する情報処理装置側制御手段（ＣＰＵ２１、ＩＣカード読取部８１、ＩＣカード書込部８２）を備える。
【００７４】
本実施の形態のプリンタ装置３、５には、少なくともプリンタ装置３、５のネットワークアドレス情報、及び、プリンタ機種情報を、プリンタ装置設定情報として記憶するプリンタ側記憶手段（ＲＯＭ１１、ＲＡＭ１２、ＨＤＤ１３、ネットワークアドレス記憶部６３、機種名記憶部６５）と、可搬型情報記憶手段と直接に通信接続してプリンタ装置設定情報を可搬型情報記憶手段に書込及び読出が可能であるプリンタ側インターフェース手段（ＩＣカードＩ／Ｆ１６、アンテナ２０）と、プリンタ装置設定情報をプリンタ側インターフェース手段を介して読み出してプリンタ側記憶手段に書込むプリンタ側制御手段（ＣＰＵ１０、ＩＣカード読取部９１、ＩＣカード書込部９２）を備える。
【００７５】
本実施の形態の情報処理装置２は、更に現在時刻情報を出力する現在時刻出力手段（ＲＴＣ２６、書込時間比較部８４）を備え、情報処理装置側制御手段により、プリンタ装置設定情報が書き込まれる時点の現在時刻情報が書込時刻情報として更に加えられて可搬型情報記憶手段に記録されているプリンタ装置設定情報中の書込時刻情報を、読み出して情報処理装置側記憶手段に書込むと共に、現在時刻情報が書込時刻情報から所定時間以内か否かを判断し、所定時間以内である場合に、ネットワークアドレス情報のプリンタ装置を印刷出力先として設定し、プリンタ機種情報から対応するプリンタドライバを設定し、プリンタ装置設定情報を可搬型情報記憶手段に書込み、本実施の形態のプリンタ装置３、５は、プリンタ側制御手段により、プリンタ機種情報が予めプリンタドライバがインストールされたプリンタ装置の機種に一致するか否かを判断し、一致する場合に、プリンタ装置設定情報を可搬型情報記憶手段に書込む。
【００７６】
本実施の形態の情報処理装置側制御手段は、可搬型情報記憶手段の空き容量情報を検出して、プリンタ装置設定情報を可搬型情報記憶手段に書込可能であるか否かを判定し、書込可能である場合に、プリンタ装置設定情報を可搬型情報記憶手段に書込む。
【００７７】
本実施の形態の情報処理装置側制御手段は、可搬型情報記憶手段の空き容量情報について、１台のプリンタ装置のプリンタ装置設定情報の記憶に必要な容量毎に分割された領域の単位で、書込済みであるか否かを検出し、１個の領域が書込済みである場合には次の領域で書込済みであるか否かを検出する処理を領域の終端まで繰り返し、未書込である領域にプリンタ装置設定情報を書込む。
【００７８】
本実施の形態のプリンタ側制御手段は、可搬型情報記憶手段のプリンタ装置設定情報を読み出す際に、各領域の単位で書込済みであるか否かを検出し、１個の領域が書込済みである場合には、次の領域で書込済みであるか否かを検出する処理を領域の終端まで繰り返し、最後に書込まれた領域のプリンタ装置設定情報を書込んで更新する。
【００７９】
本実施の形態のプリンタ側制御手段は、各領域が全て書込済みで領域の終端になった場合には、エラー通知を出力する。
【００８０】
このように本実施の形態の印刷システムでは、例えば、情報処理装置にインストール済みであるプリンタドライバの機種情報（機種名）をプリンタ装置設定情報としてＩＣカードに情報処理装置側で書き込み、プリンタ装置側でそのＩＣカードの機種情報が自装置の機種情報と一致するかどうかを判断する。そして不一致である場合には、機種が異なることをＬＣＤに表示させて報知するので、不適切なプリンタ装置が選択されたり、その結果不適切に印刷される事態をなくすことができる。又、機種が不一致で利用できない場合も使用者は容易に認識でき、誤接続を容易に防止することができる。
【産業上の利用可能性】
【００８１】
上記した実施の形態では、本発明が情報処理装置とプリンタ装置がネットワークを介して接続された印刷システムに用いられた場合について説明したが、本発明はこれに限られるものではなく、例えば、上記したプリンタ装置の機種名を周辺装置の機種名と読み替え、プリンタのドライバを周辺装置のドライバと読み替えることで、情報処理装置と周辺装置がネットワークを介して接続された各種のシステムに利用可能である。
【図面の簡単な説明】
【００８２】
【図１】本発明の実施の形態１の印刷システムの全体構成を示すブロック図である。
【図２】図１に示した第１のプリンタ装置３又は第２のプリンタ装置５の概略の内部構成を示すブロック図である。
【図３】図１に示した情報処理装置２の概略の内部構成を示すブロック図である。
【図４】図１に示したＩＣカード９の概略の内部構成を示すブロック図である。
【図５】（ａ）は図１及び図４に示したＩＣカード９に記憶されるプリンタ装置の装置設定情報の例を分割された記憶領域のブロック単位毎に記憶内容を示した図であり、（ｂ）は（ａ）の第１領域のさらに具体的な例を示した図である。
【図６】実施の形態１の第１のプリンタ装置３又は第２のプリンタ装置５の中でプログラムの実施により構成される処理動作部を示した図である。
【図７】実施の形態１の情報処理装置（パソコン）の中でプログラムの実施により構成される処理動作部を示した図である。
【図８】実施の形態１の第１のプリンタ装置３又は第２のプリンタ装置５にＩＣカード９が通信接続された場合のＩＣカード読取部６１とＩＣカード書込部６２の処理動作を示したフローチャートである。
【図９】実施の形態１の情報処理装置２にＩＣカード９が通信接続された場合のＩＣカード読取部７１とＩＣカード書込部７２の処理動作を示したフローチャートである。
【図１０】実施の形態２の情報処理装置（パソコン）の中でプログラムの実施により構成される処理動作部を示した図である。
【図１１】実施の形態２の第１のプリンタ装置３又は第２のプリンタ装置５の中でプログラムの実施により構成される処理動作部を示した図である。
【図１２】実施の形態２の情報処理装置２にＩＣカード９が通信接続された場合のＩＣカード読取部８１とＩＣカード書込部８２の処理動作を示したフローチャートである。
【図１３】実施の形態２の第１のプリンタ装置３又は第２のプリンタ装置５にＩＣカード９が通信接続された場合のＩＣカード読取部９１とＩＣカード書込部９２の処理動作を示したフローチャートである。
【図１４】図１３のステップＳ１２９でＬＣＤに表示されるエラーメッセージの一例を示す図である。
【符号の説明】
【００８３】
１  印刷システム、
２  情報処理装置（パーソナルコンピュータ：パソコン）、
３  第１のプリンタ装置、
４  通信回線網（ネットワーク）、
５  第２のプリンタ装置、
９  ＩＣカード、
１０、２１、５１  ＣＰＵ、
１１、２２、５２  ＲＯＭ、
１２、２３、５３  ＲＡＭ、
１３、２４  ＨＤＤ、
１４  ＬＣＤ、
１５、２６  ＲＴＣ、
１６、２７  ＩＣカードＩ／Ｆ、
１７、２８  ネットワークＩ／Ｆ、
１８  プリントエンジン、
１９  プリンタ内部バス、
２０、３０、５７  アンテナ、
２５  ＬＣＤ、
２９  パソコン内部バス、
３１〜３３、４１〜５０  記憶ブロック、
５４  ＥＥＰＲＯＭ、
５５  ＰＣＩ／Ｆ、
５６  ＩＣカード内部バス、
６１、７１、８１、９１  ＩＣカード読取部、
６２、７２、８２、９２  ＩＣカード書込部、
６３、８５、９３  ネットワークアドレス記憶部、
６４、９４  書込時間読取部、
６５、９５  機種名記憶部、
７３、８４  書込時間比較部、
７４、８３  機種名比較部、
７５  ネットワークアドレス設定部。
【図１】
2008059137.tif 000003
【図２】
2008059137.tif 000004
【図３】
2008059137.tif 000005
【図４】
2008059137.tif 000006
【図５】
2008059137.tif 000007
【図６】
2008059137.tif 000008
【図７】
2008059137.tif 000009
【図８】
2008059137.tif 000010
【図９】
2008059137.tif 000011
【図１０】
2008059137.tif 000012
【図１１】
2008059137.tif 000013
【図１２】
2008059137.tif 000014
【図１３】
2008059137.tif 000015
【図１４】
2008059137.tif 000016